(57)【要約】【課題】ラッチ片が移動できなくともラッチの係合を容易に外すことが可能なラッチ機構等を提供する。【解決手段】障子と、当該障子との相対移動が規制される被規制部材とのうちのいずれか一方に、移動可能に設けられたハウジングと、前記ハウジングから出没可能に設けられたラッチ片と、を有するラッチユニット、及び、前記障子と前記被規制部材とのうちの他方に設けられ、突出した前記ラッチ片が係合することにより前記障子の前記相対移動が規制される係合部を有するラッチ受け、を備え、前記ラッチ片が前記係合部と係合した状態で、前記ハウジングを移動することにより、前記ラッチ片と前記係合部との係合が解除される。【選択図】図５
2013238001.tif 000002
【特許請求の範囲】
【請求項１】
障子と、当該障子との相対移動が規制される被規制部材とのうちのいずれか一方に、移動可能に設けられたハウジングと、前記ハウジングから出没可能に設けられたラッチ片と、を有するラッチユニット、及び、
前記障子と前記被規制部材とのうちの他方に設けられ、突出した前記ラッチ片が係合することにより前記障子の前記相対移動が規制される係合部を有するラッチ受け、
を備え、
前記ラッチ片が前記係合部と係合した状態で、前記ハウジングを移動することにより、前記ラッチ片と前記係合部との係合が解除されることを特徴とするラッチ機構。
【請求項２】
請求項１に記載のラッチ機構であって、
前記ラッチユニットは、前記ラッチ片を突出する方向に付勢する付勢部材を有し、
前記ラッチユニットと前記ラッチ受けとが互いに近づいて前記ラッチ片が前記係合部と接触することにより前記付勢部材の付勢力に抗して前記ハウジング内に没し、前記係合部を越えて前記付勢力により突出されて前記障子の前記相対移動が規制されることを特徴とするラッチ機構。
【請求項３】
請求項１または請求項２に記載のラッチ機構であって、
前記ラッチ片の出没方向と前記ハウジングの移動方向とは互いに相違することを特徴とするラッチ機構。
【請求項４】
請求項２または請求項３に記載のラッチ機構であって、
前記ラッチユニットと前記ラッチ受けとが互いに近づく方向と前記ハウジングの移動方向とは互いに相違することを特徴とするラッチ機構。
【請求項５】
請求項１乃至請求項４のいずれかにに記載のラッチ機構であって、
前記係合部は、突出した前記ラッチ片が入り込む凹部を形成する凹部形成部であり、
前記ハウジングの移動は、回転移動であり、
前記凹部は、前記ハウジングが回転移動したときに、前記ハウジングから突出した前記ラッチ片が当該凹部の外に移動可能な形状をなしていることを特徴とするラッチ機構。
【請求項６】
請求項１乃至請求項５のいずれかに記載のラッチ機構であって、
前記被規制部材は、前記障子とともに折戸を構成する他の障子であり、
前記相対移動が規制されることにより、前記折戸の開閉が規制されることを特徴とするラッチ機構。
【請求項７】
請求項１乃至請求項６のいずれかに記載のラッチ機構を備えたことを特徴とする建具。
【発明の詳細な説明】
【技術分野】
【０００１】
本発明は、障子の移動を規制するラッチ機構及びこのラッチ機構を備えた建具に関する。
【背景技術】
【０００２】
障子の移動を規制するラッチ機構及び建具としては、例えば、左右の扉（障子）が連結されて折り畳みまたは展開自在な折戸の下端と下枠との間に設けられたラッチ機構及び建具が知られている。この建具では、下方に付勢されて下レールより下方に位置するラッチヘッド（ラッチ片）が、折戸を閉鎖する際に、下レールに接触したときに一時的に上方に後退することにより下レールを越え、折戸が完全閉鎖位置まで移動したときに再び下レールよりも下方に突出されてラッチヘッドが下レールに係合することにより折戸の閉鎖状態が維持されるように構成されている（例えば、特許文献１参照）。
【先行技術文献】
【特許文献】
【０００３】
【特許文献１】特開２００１―３３６３３２号公報
【発明の概要】
【発明が解決しようとする課題】
【０００４】
上記のようなラッチ機構及び建具は、下方に付勢されて上下方向に移動可能なラッチ片が下レールと係合して折戸の閉鎖状態が維持されているので、例えば、ラッチ片が下レールと繰り返し接触して衝撃を受けることなどにより損傷すると、ラッチ片が移動できなくなり、折戸を開放することができなくなるおそれがあるという課題がある。
【０００５】
本発明は、かかる課題に鑑みてなされたものであり、その目的とするところは、ラッチ片が移動できなくともラッチの係合を容易に外すことが可能なラッチ機構及び建具を提供することにある。
【課題を解決するための手段】
【０００６】
かかる目的を達成するために本発明のラッチ機構は、障子と、当該障子との相対移動が規制される被規制部材とのうちのいずれか一方に、移動可能に設けられたハウジングと、前記ハウジングから出没可能に設けられたラッチ片と、を有するラッチユニット、及び、前記障子と前記被規制部材とのうちの他方に設けられ、突出した前記ラッチ片が係合することにより前記障子の前記相対移動が規制される係合部を有するラッチ受け、を備え、前記ラッチ片が前記係合部と係合した状態で、前記ハウジングを移動することにより、前記ラッチ片と前記係合部との係合が解除されることを特徴とするラッチ機構である。
【０００７】
このようなラッチ機構によれば、ハウジングから突出してラッチ受けの係合部と係合して障子と被規制部材との相対移動を規制するラッチ片は、係合部と係合した状態であっても、ハウジングが移動されることにより、ラッチ片と係合部との係合が解除される。このため、たとえラッチ片が係合部と係合した状態で、没することが不能となったとしても、ハウジングを移動することにより、突出したままのラッチ片と係合部との係合を容易に解除することが可能である。
【０００８】
かかるラッチ機構であって、前記ラッチユニットは、前記ラッチ片を突出する方向に付勢する付勢部材を有し、前記ラッチユニットと前記ラッチ受けとが互いに近づいて前記ラッチ片が前記係合部と接触することにより前記付勢部材の付勢力に抗して前記ハウジング内に没し、前記係合部を越えて前記付勢力により突出されて前記障子の前記相対移動が規制されることが望ましい。  
このようなラッチ機構によれば、障子と被規制部材とを互いに近づく方向に移動させるだけで、ラッチ片を係合部と接触させて付勢部材の付勢力に抗してハウジング内に没入させ、係合部を越えたときに付勢力により突出させて障子の相対移動を規制することができる。このため、障子と被規制部材との相対移動をより確実に規制することが可能である。
【０００９】
かかるラッチ機構であって、前記ラッチ片の出没方向と前記ハウジングの移動方向とは互いに相違することが望ましい。  
このようなラッチ機構によれば、ラッチ片の出没方向とハウジングの移動方向とは互いに相違するので、たとえラッチ片が没しなくとも、ラッチ片をハウジングとともに出没方向と異なる方向に移動させて凹部から外に移動させることが可能である。
【００１０】
かかるラッチ機構であって、前記ラッチユニットと前記ラッチ受けとが互いに近づく方向と前記ハウジングの移動方向とは互いに相違することが望ましい。  
ラッチユニットとラッチ受けとが互いに近づく方向に移動してラッチ片が凹部に係合するので、ラッチユニットとラッチ受けとが互いに近づく方向とハウジングの移動方向とが同じ場合には、ラッチ片が没入しないと係合が外れない。このため、ラッチユニットとラッチ受けとが互いに近づく方向とハウジングの移動方向とが互いに相違することにより、ハウジングの移動によりラッチ片を凹部から外に容易に移動させることが可能である。
【００１１】
かかるラッチ機構であって、前記係合部は、突出した前記ラッチ片が入り込む凹部を形成する凹部形成部であり、前記ハウジングの移動は、回転移動であり、前記凹部は、前記ハウジングが回転移動したときに、前記ハウジングから突出した前記ラッチ片が当該凹部の外に移動可能な形状をなしていることが望ましい。  
このようなラッチ機構によれば、ハウジングの移動が回転移動なので、ハウジング全体を移動させることなく、小さな移動量にてラッチ片を凹部から外に移動させることが可能である。また、ラッチ片はハウジングから突出していても、ハウジングが回転移動したときに凹部の外に移動できるので、ラッチ片をハウジング内に没入させることができない場合であってもハウジングを回転移動させることによりラッチ片を凹部の外に移動させてラッチ片と係合部との係合を解除することが可能である。
【００１２】
かかるラッチ機構であって、前記被規制部材は、前記障子とともに折戸を構成する他の障子であり、前記相対移動が規制されることにより、前記折戸の開閉が規制されることが望ましい。  
このようなラッチ機構によれば、ラッチ片が移動できなくともラッチの係合を容易に外すことが可能な折戸を提供することが可能である。
【００１３】
また、ラッチ機構を備えたことを特徴とする建具である。このような建具によれば、たとえラッチ片が凹部に入り込んだ状態で移動不能となったとしても、ハウジングを移動することにより、突出したラッチ片を凹部の外に移動させてラッチ片と凹部との係合を容易に外すことが可能な建具を提供することが可能である。
【発明の効果】
【００１４】
本発明によれば、ラッチ片が移動できなくともラッチの係合を容易に外すことが可能である。
【図面の簡単な説明】
【００１５】
【図１】本実施形態に係る建具を浴室側から見た外観図である。
【図２】本実施形態に係る建具の開閉動作を説明するための図である。
【図３】ラッチ機構の構成を示す分解斜視図である。
【図４】ラッチ機構の通常の動作を示す斜視図である。
【図５】ハウジングの移動を示す斜視図である。
【発明を実施するための形態】
【００１６】
以下、本発明の一実施形態に係るラッチ機構及びこのラッチ機構を備えた建具について図面を参照して説明する。
【００１７】
本実施形態においては、図１、図２に示すような、浴室と脱衣室との境界に設けられ、浴室と脱衣室とを仕切る折戸１０を備えた浴室用の建具１を例に挙げて説明する。
【００１８】
以下の説明においては、建物等に取り付けられた状態の浴室用の建具１を浴室側から見たときに、上下となる方向を上下方向、左右となる方向を左右方向または見付け方向、室内外方向である奥行き方向を見込み方向として示す。また、浴室用の建具１が備える各部材は、単体として説明する場合であっても、建物等に取り付けられた状態で上下方向、見付け方向、見込み方向等となる方向にて方向を特定して説明する。
【００１９】
本実施形態の建具１は、障子としての扉と、扉の隣に並べて配置され扉とともに折戸１０を構成する他の障子であり被規制部材としての扉１２と、を回動自在に連結した折戸１０を備えた浴室用の建具１である。本実施形態では、図１、図２において右側に位置する扉が吊元扉１１をなし、左側に位置する扉が移動扉１２をなしている。
【００２０】
枠体３は、浴室と脱衣室とを連通する開口を形成し、開口の上方に位置する上枠３ａと、開口の下方に位置する下枠３ｂと、開口の見付け方向における両側に位置する左右の縦枠３ｃとが矩形状に枠組みされている。
【００２１】
吊元扉１１及び移動扉１２はそれぞれ、透光性を有する樹脂製やガラス製の面材１３を有している。吊元扉１１は、面材１３を囲むように上框１７及び下框１８の両端部側に吊元框２１と縦中框２０とが配置されて矩形状に框組みされている。また、移動扉１２は面材１３を囲むように上框１７及び下框１８の両端部側に戸先框１９と縦中框２０とが配置されて矩形状に框組みされている。
【００２２】
吊元扉１１と移動扉１２との間には、吊元扉１１の縦中框２０の端部と移動扉１２の縦中框２０の端部とにわたって連結部材２５が設けられており、２つの縦中框２０が連結部材２５と係合して吊元扉１１と移動扉１２とが相対移動、より具体的には回動するように構成されている。
【００２３】
吊元扉１１の縦中框２０と移動扉１２の縦中框２０とは同一の押出成形部材であり、左右方向を反転させた状態にて配置されている。このため、ここでは吊元扉１１の縦中框２０を例に挙げて説明し、移動扉１２の縦中框２０において吊元扉１１の縦中框２０と同一構成については図中で同符号を付して示し、その説明については省略する。
【００２４】
吊元扉１１の縦中框２０は、上下方向に連通する中空部を有し、水平断面形状がほぼ矩形状をなす縦中框本体２０ａと、折戸１０が展開された状態すなわち開口を閉じている状態において縦中框本体２０ａの脱衣室に臨む面を有する脱衣室側壁部２０ｂから吊元扉１１の外周側に延出された延出壁部２０ｃと、延出壁部２０ｃの先端、すなわち吊元扉１１の端部であり連結部材２５と係合するフック部２０ｄと、縦中框本体２０ａの浴室に臨む面を有する浴室側壁部２０ｅから吊元扉１１の外周側に向かって脱衣室側に湾曲するように延出された湾曲壁部２０ｆと、を有している。フック部２０ｄの先端と湾曲壁部２０ｆの先端とは間隔が隔てられており、フック部２０ｄの先端と湾曲壁部２０ｆの先端との間にて外部と連通され、縦中框本体２０ａとフック部２０ｄ及び湾曲壁部２０ｆにて囲まれた空間２０ｈが形成されている。この空間２０ｈ内には、吊元扉１１と移動扉１２の間に配置される連結部材２５が吊元扉１１の空間２０ｈから移動扉１２の空間２０ｈにわたって配置されて、その端部が挿入されることにより吊元扉１１と移動扉１２とが連結されている。
【００２５】
連結部材２５は、吊元扉１１と移動扉１２とほぼ同じ長さを有する押出成形部材である。連結部材２５は、外形の断面形状がほぼ半円形状の円弧をなし、浴室側に湾曲して脱衣室側に凹部を形成する外周壁部２５ａと、外周壁部２５ａの先端から互いに対向する方向に突出された係合片２５ｂと、を有している。対向する２つの係合片２５ｂの先端は、左右方向に間隔が隔てられており、２つの係合片２５ｂの先端の間が開口となる外周壁部２５ａの凹部内に挿入された、吊元扉１１と移動扉１２のフック部２０ｄが、係合片２５ｂと係合して吊元扉１１と移動扉１２が相対移動、すなわち回動するように構成されている。
【００２６】
折戸１０の上部と下部とには、折戸１０により開口を閉塞した状態を維持するために吊元扉１１と移動扉１２との相対移動を規制するラッチ機構５がそれぞれ設けられている。
【００２７】
ラッチ機構５は、吊元扉１１の縦中框２０に設けられたラッチユニット５０と、移動扉１２の縦中框２０に設けられたラッチ受け６０と、を有している。ラッチ機構５のラッチユニット５０及びラッチ受け６０は縦中框２０に設けられているため、折戸１０の開閉状態により向きが変化する。このため、以下のラッチ機構５の構成の説明では、基本的に折戸１０を展開した状態、すなわち開口を閉止した状態のラッチ機構５にて構成を説明する。
【００２８】
ラッチユニット５０は、図３に示すように、吊元扉１１の縦中框２０に固定される吊元ホルダー５１と、吊元ホルダー５１の移動扉１２側に設けられ見付け方向に沿う軸を中心に回転移動自在に設けられたハウジング５２と、ハウジング５２内に収容されて上下方向に出没可能に設けられたラッチ片５３と、ラッチ片５３を下方に付勢する付勢部材としてのコイルスプリング５４と、コイルスプリング５４の付勢力を調整するための調整部材５５と、回転移動するハウジング５２の位置保持部材５６と、を有している。
【００２９】
吊元ホルダー５１は、吊元扉１１の縦中框２０における浴室側壁部２０ｅから湾曲壁部２０ｆにわたる部位に取り付けられる上下方向に長いブロック状をなす樹脂製の部材である。吊元ホルダー５１には、脱衣室側に向かって開放された中空部（不図示）が設けられている。吊元ホルダー５１には、移動扉１２側の側部５１ａに中空部と外部とを連通する連通孔５１ｂが設けられている。この連通孔５１ｂには、ハウジング５２が有する、後述する軸部５２ａが貫通され、中空部内に突出した軸部５２ａの先端側にＥリング５７が嵌められることにより、ハウジング５２が吊元ホルダー５１に対し回転移動自在に支持されている。このとき、吊元ホルダー５１に支持されたハウジング５２の軸部５２ａは、折戸１０が展開された状態にて見付け方向に沿って配置されている。
【００３０】
また、吊元ホルダー５１における移動扉１２側の側面５１ａには、見付け方向に窪み、貫通しない丸孔５１ｃが、連通孔５１ｂより下方に設けられており、この丸孔５１ｃに、コイルスプリング５８と、コイルスプリング５８により移動扉１２側に押圧されてハウジング５２の側部５２ｂに当接されるプッシャー５９とが収容されている。このとき、吊元ホルダー５１にハウジング５２が回転移動自在に取り付けられたときには、プッシャー５９がハウジング５２に当接されて、コイルスプリング５８を圧縮した状態で、コイルスプリング５８とプッシャー５９とが収容されている。
【００３１】
ハウジング５２は、ブロック状をなす樹脂製の部材であり、上下方向に貫通する貫通孔５２ｃが設けられ、吊元ホルダー５１側の側部５２ｂの上部には、前記軸部５２ａが設けられ、下部には２つの窪み(不図示)が設けられ、ハウジング５２の浴室側の上端部は浴室側に向かって突出し、ハウジング５２を回転移動させる際に操作される操作部５２ｄをなしている。吊元ホルダー５１側の側部５２ｂに設けられた２つの窪みは、吊元ホルダー５１に設けられ、コイルスプリング５８に押圧されたプッシャー５９が入り込むことにより、回転移動されるハウジング５２を２つの位置に保持するように構成されている。すなわち、コイルスプリング５８とプッシャー５９とがハウジング５２の位置保持部材５６である。ここで、２つの位置とは、ハウジング５２から突出したラッチ片５３がラッチ受け６０の凹部６２ａに入り込む第１位置と、ハウジング５２が回転移動されてハウジング５２から突出したラッチ片５３がラッチ受け６０の凹部６２ａの外に位置する第２位置とである。このため、２つの窪みは軸部５２ａを中心とした円周上に形成されている。
【００３２】
貫通孔５２ｃには、下部側に、内部に収容されて上下方向に移動可能なラッチ片５３が移動する際のガイド部(不図示)と、ラッチ片５３の下方への突出量を規制するストッパー(不図示)とが設けられており、上部側には、調整部材５５が螺合されるための雌ねじ５２ｅが形成されている。
【００３３】
ラッチ片５３は、上部にコイルスプリング５４が係合される係合部５３ａを備え、下部には、２つの傾斜面５３ｂ、５３ｃが左右方向に繋がって設けられている。右側すなわち吊元ホルダー５１側の傾斜面５３ｂは、右から左に向かって位置が低くなる傾斜面５３ｂであり、左側すなわち移動扉１２側の傾斜面５３ｃは、右から左に向かって位置が高くなる傾斜面である。２つの傾斜面５３ｂ、５３ｃは、右側の傾斜面５３ｂの方が左側の傾斜面５３ｃより勾配が急である。
【００３４】
調整部材５５は、円盤状をなす部材であり、外周部に貫通孔５２ｃの雌ねじ５２ｅに螺合される雄ねじ５５ａを有しており、上面には、コイン等にて回動操作するための操作溝５５ｂが設けられている。調整部材５５は、貫通孔５２ｃにラッチ片５３及びコイルスプリング５４が収容された状態で上方からコイルスプリング５４を圧縮しつつ貫通孔５２ｃの雌ねじ５２ｅに螺合されている。そして、調整部材５５を締め込むことによりラッチ片５３への付勢力が大きくなり、緩めることによりラッチ片５３への付勢力が小さくなるように調整することが可能である。
【００３５】
ラッチ受け６０は、移動扉１２の縦中框２０における浴室側壁部２０ｅから湾曲壁部２０ｆにわたる部位に取り付けられる上下方向に長いブロック状をなす樹脂製の部材である。
【００３６】
ラッチ受け６０は、移動扉１２の縦中框２０に固定されるラッチ受けホルダー６１と、ラッチ受けホルダー６１の吊元扉１１側に設けられ、折戸１０が展開した状態にて、ハウジング５２の下方に配置される受け部６２と、を有している。
【００３７】
受け部６２は、ラッチ受けホルダー６１の下部からラッチユニット５０側に延出されており、ハウジング５２と対向する受け部６２の上部は、ハウジング５２が回転移動する際にハウジング５２の下端が接触しないように湾曲している。受け部６２には、上方に位置するハウジング５２から突出されたラッチ片５３が入り込む凹部６２ａが設けられている。凹部６２ａは、上方及び浴室側が開放されており、ラッチ片５３が突出した状態でハウジング５２が回転移動してもラッチ片５３が凹部６２ａの外に移動できるような形状をなしている。
【００３８】
ラッチユニット５０のハウジング５２は、通常、折戸１０を展開した状態にて、ハウジング５２から突出したラッチ片５３がラッチ受け６０の凹部６２ａに入り込む第１位置に位置している。そして、折戸１０が畳まれて、開口が開放された状態では、図２に示すように、ラッチ機構５のラッチユニット５０とラッチ受け６０とが互いに離れて位置している。
【００３９】
折戸１０が畳まれて開口が開放された状態から、折戸１０を展開するように操作すると、連結部材２５にて回動自在に連結されている吊元扉１１と移動扉１２とが、相対移動、すなわち互いに回動し、吊元扉１１に設けられたラッチユニット５０と移動扉１２に設けられたラッチ受け６０と互いに近づいていく。
【００４０】
そして、図４に示すように、ラッチ受け６０の受け部６２が、ラッチユニット５０が有するハウジング５２の下方に入り込む際に、ハウジング５２の下方に突出しているラッチ片５３が受け部６２の凹部６２ａを形成する凹部形成部としての周壁６２ｂに凹部６２ａの外側から接触する。そして、更に折戸１０を展開すべく操作すると、ラッチ片５３が受け部６２の周壁６２ｂにより、コイルスプリング５４の付勢力に抗して上方に押し上げられつつ吊元扉１１と移動扉１２とが回動し続ける。このとき、ラッチ片５３は、左の傾斜面５３ｃが周壁６２ｂに摺動しつつ上方に押し上げられる。そして、折戸１０が見付け方向にほぼ沿うように展開されるときには、ラッチ片５３が周壁６２ｂを越えてコイルスプリング５４の付勢力により突出され、受け部６２の凹部６２ａに入り込む。凹部６２ａに入り込んだラッチ片５３は、折戸１０が折り畳まれる際には周壁６２ｂと接触しラッチ片５３が受け部６２の周壁６２ｂによりコイルスプリング５４の付勢力に抗して上方に押し上げられるまでは、吊元扉１１と移動扉１２との相対移動が規制され、折戸１０が開口を閉止した状態が維持される。本実施形態においては、周壁６２ｂが係合部の一例に相当する。
【００４１】
また、開口を開くように折戸１０を折り畳むべく操作すると、ラッチ受け６０の凹部６２ａに入り込んでいるラッチ片５３が、受け部６２の凹部６２ａを形成する周壁６２ｂに凹部６２ａの内側から接触する。そして、更に折戸１０を折り畳むべく操作すると、ラッチ片５３が受け部６２の周壁６２ｂにより、コイルスプリング５４の付勢力に抗して上方に押し上げられつつ吊元扉１１と移動扉１２とが回動し続ける。このとき、ラッチ片５３は、右の傾斜面５３ｂが周壁６２ｂに摺動しつつ上方に押し上げられる。そして、ラッチ片５３が受け部６２の凹部６２ａから外に出てラッチ片５３と周壁６２ｂとの係合が解除され、吊元扉１１と移動扉１２とが回動して開口が開放された状態となる。このとき、折戸１０を折り畳む際に、ラッチ片５３は、左の傾斜面５３ｃより急勾配の右の傾斜面５３ｂが周壁６２ｂに摺動しつつ上方に押し上げられるので、開口を開放する際には、開口を閉止する際より大きな力にて操作することになる。
【００４２】
通常はこのように、折戸１０を折り畳んだり、展開したりして開口を開閉すると、ラッチ機構５により、折戸１０を展開したときに開口を閉止した状態が保たれ、ラッチ片５３が周壁６２ｂを乗り越えられる程度の力にて折戸１０が操作されることにより、開口を開放することができるように構成されている。
【００４３】
そして、このような開閉動作が繰り返された衝撃等により、万一ラッチ片５３が上方に移動できない状況、すなわちラッチ片５３がハウジング５２内に没入できない状況になった場合には、図５に示すように、ラッチユニット５０のハウジング５２の操作部５２ｄを上方に操作する。操作部５２ｄを上方に操作することにより、ハウジング５２は、軸部５２ａを中心に回転移動し、通常位置する第１位置から第２位置に移動する。このとき、ハウジング５２は、ラッチ片５３が上方に移動できずに凹部６２ａ内に突出したまま回転移動するが、凹部６２ａは浴室側に開放されているので、突出したままのラッチ片５３は、受け部６２に阻害されることなく凹部６２ａの外に移動する。すなわち、ラッチ片５３と周壁６２ｂとの係合が解除される。ラッチ片５３と周壁６２ｂとの係合が解除された状態では、吊元扉１１と移動扉１２とが相対移動、すなわち互いに回動することができるので開口が開放される。このとき、ハウジング５２の第１位置及び第２位置において、ハウジング５２の吊元ホルダー５１側の側部５２ｂに設けられた２つの窪みの一方に、吊元ホルダー５１に設けられ、コイルスプリング５８に押圧されたプッシャー５９が入り込み、ハウジング５２が第１位置または第２位置にコイルスプリング５８の付勢力にて保持されるように構成されている。
【００４４】
本実施形態のラッチ機構５及びラッチ機構５を備えた建具１によれば、ハウジング５２から突出してラッチ受け６０の凹部６２ａに入り込んで吊元扉１１と移動扉１２との相対移動、すなわち回動を規制するラッチ片５３は、凹部６２ａに入り込んだ状態であっても、ハウジング５２を回転移動することにより、ラッチ片５３が凹部６２ａの外に移動される。このため、たとえラッチ片５３が凹部６２ａに入り込んだ状態で、ハウジング５２内に没することが不能となったとしても、ハウジング５２を回転移動することにより、凹部６２ａの外に移動させて、折戸１０を折り畳む際にラッチ片５３と周壁６２ｂとが係合しない状態にすることが可能である。
【００４５】
また、ラッチ片５３は突出する下方向に付勢されており、吊元扉１１に設けられたラッチユニット５０と、移動扉１２に設けられたラッチ受け６０とが、互いに近づいてラッチ片５３が周壁６２ｂと接触することによりコイルスプリング５４の付勢力に抗してラッチ片５３がハウジング５２内に没入し、周壁６２ｂを越えて付勢力により突出して凹部６２ａに入り込む。このため、吊元扉１１と移動扉１２とを互いに近づく方向に移動させるだけで、ラッチ片５３を凹部６２ａに入り込ませて吊元扉１１と移動扉１２との相対移動をより確実に規制する折戸１０を提供することが可能である。
【００４６】
また、ラッチ片５３の出没方向とハウジング５２の移動方向とは互いに相違するので、ラッチ片５３がハウジング５２内に没しなくとも、ハウジング５２の移動によりラッチ片５３を凹部６２ａから外に移動させることが可能である。
【００４７】
また、ラッチユニット５０とラッチ受け６０とが互いに近づく方向に移動してラッチ片５３が周壁６２ｂと係合するので、ラッチユニット５０とラッチ受け６０とが互いに近づく方向とハウジング５２の移動方向とが同じ場合には、ラッチ片５３が没入しないと係合が外れない。このため、ラッチユニット５０とラッチ受け６０とが互いに近づく方向とハウジング５２の移動方向とが、交差するように互いに方向を相違させることにより、ハウジング５２を移動させてラッチ片５３を凹部６２ａから外に容易に移動させることが可能である。
【００４８】
また、ハウジング５２の移動は回転移動なので、ハウジング５２全体を移動させることなく、軸部５２ａを中心とした小さな移動量にてラッチ片５３を凹部６２ａから外に移動させることが可能である。また、本実施形態の凹部６２ａは、ラッチ片５３がハウジング５２から突出していても、ハウジング５２が回転移動したときに凹部６２ａの外に移動できるように、突出したラッチ片５３が移動する先に位置する、凹部６２ａの浴室側が開放されている。このため、ラッチ片５３をハウジング５２内に没入させることができない場合であってもハウジング５２を回転移動させることによりラッチ片５３を凹部６２ａの外に移動させることが可能である。
【００４９】
上記実施形態においては、下方に突出したラッチ片５３が入り込む部位を、凹部としたが、下方に開放された穴等であっても構わない。また、ラッチ片が入り込む部位及び係合部の形状は、障子と被規制部材との相対移動を規制した状態を維持すべく突出したラッチ片と係合する係合部を有し、ハウジングを移動させることにより、障子と被規制部材とを相対移動させてもラッチ片と係合部とが係合しない状態となる形状であれば構わない。
【００５０】
上記実施形態においては、ハウジング５２が軸部５２ａを中心として回転移動する構成としたが、これに限らず、例えば見込み方向または上方向にスライドする構成であっても構わない。このとき、ハウジングが見込み方向に移動する場合には、突出したラッチ片が入り込む部位は、浴室側が開放されており、ハウジングが上方向に移動する場合には、突出したラッチ片が入り込む凹部や穴は、浴室側が開放されていなくとも構わない。
【００５１】
上記実施形態においては、吊元扉１１にラッチユニット５０が設けられ、移動扉１２にラッチ受けが設けられた例について説明したが、吊元扉１１にラッチ受け６０が設けられ、移動扉１２にラッチユニット５０が設けられていても構わない。
【００５２】
上記実施形態においては、障子と、当該障子との相対移動が規制される被規制部材を、吊元扉１１と移動扉１２とした折戸１０を備えた建具１を例に挙げて説明したが、被規制部材は、障子に限らず例えば障子が設けられている枠部であっても構わない。例えば、障子の戸先框にラッチユニット及びラッチ受けのいずれか一方が設けられ、戸先框が当接される縦枠にラッチユニット及びラッチ受けの他方が設けられていてもよい。
【００５３】
また、上記実施形態においては、折戸１０を例に挙げて説明したが、障子が引戸であり、引戸の戸先框と、戸先框が当接される縦枠とのいずれか一方にラッチユニットが、他方にラッチ受けが設けられていて、引戸と縦枠との相対移動、すなわち、見付け方向の移動を規制する構成であっても構わない。また、ラッチ機構は、開口を閉じる障子に限らず、例えば、空間を仕切るために連ねて設けられる複数のパーティションにおいて、隣接するパーティション同士の相対移動を規制する構成であっても構わない。
【００５４】
また、上記実施形態においては、折戸１０が２枚の扉を有する例について説明したが、扉の数はこれに限るものではない。
【００５５】
上記実施形態においては、ラッチ機構５が、折戸１０の上下２箇所に設けられている例について説明したが、ラッチ機構５の数は、この限りではない。
【００５６】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５７】
１  建具、５  ラッチ機構、１０  折戸、１１  吊元扉、１２  移動扉、
５０  ラッチユニット、５２  ハウジング、５３  ラッチ片、
５４  コイルスプリング、６０  ラッチ受け、６２  受け部、６２ａ  凹部、
６２ｂ  周壁
【図１】
2013238001.tif 000003
【図２】
2013238001.tif 000004
【図３】
2013238001.tif 000005
【図４】
2013238001.tif 000006
【図５】
2013238001.tif 000007